(57)【要約】      （修正有）【課題】電池を交換するために電池蓋を外しても、本体から完全に分離することのない走行玩具の電池蓋を提供する。【解決手段】電池５を駆動源として走行する走行玩具Ａの電池蓋であって、玩具本体１は蒸気機関車を模して形成され、上記玩具本体１には自由輪３と駆動輪２とが前後に配置され、上記駆動輪２と自由輪３との間にはコネクティングロッドを模したリンク７が配置されている。また、上記電池蓋は上記走行玩具１の底面に着脱可能に配置され、該電池蓋には上記自由輪３を支持する車軸が取り付けられ、上記リンク７の一端は上記自由輪３の外側に突出させた上記車軸に連結され、他端は上記駆動輪２の側面に突出した偏心軸８に連結されていることを特徴とする。【選択図】図１
0003144297.tif 000002
【実用新案登録請求の範囲】
【請求項１】
電池を駆動源として走行する走行玩具の電池蓋であって、以下の要件を備えることを特徴とする走行玩具の電池蓋。
（イ）玩具本体は蒸気機関車を模して形成したこと
（ロ）上記玩具本体には自由輪と駆動輪とが前後に配置され、上記駆動輪と自由輪との間にはコネクティングロッドを模したリンクが配置されていること
（ハ）上記電池蓋は上記走行玩具の底面に着脱可能に配置され、該電池蓋には上記自由輪を支持する車軸が取り付けられ、上記リンクの一端は上記自由輪の外側に突出させた上記車軸に連結され、他端は上記駆動輪の側面に突出した偏心軸に連結されていること
【請求項２】
以下の要件を備えることを特徴とする、請求項１記載の走行玩具の電池蓋。
（イ）前記玩具本体には自由輪を少なくとも２つ配置し、一つの自由輪を支持する車軸は前記電池蓋に取り付け、他の自由輪を支持する車軸は前記玩具本体に取り付けたこと
（ロ）前記リンクは一端を上記一つの自由輪の車軸に連結し、他端を前記駆動輪に代えて上記他の自由輪に連結したこと
【考案の詳細な説明】
【技術分野】
【０００１】
本考案は、走行玩具の電池蓋、詳しくは電池蓋を外したときに本体から完全に分離しないようにした走行玩具の電池蓋に関するものである。
【背景技術】
【０００２】
一般に、モータを駆動力として走行する走行玩具は電源として電池を使用しているが、消耗した電池を交換するために電池蓋が設けてある（例えば、特許文献１）。この電池蓋はネジを外すことにより本体から分離して電池を交換することができるようになっているものである。
【特許文献１】特開２００７−３７６３３号公報
【考案の開示】
【考案が解決しようとする課題】
【０００３】
本考案が解決しようとする問題点は、電池を交換するために電池蓋を外すことは通常の行為であるが、電池蓋を外すと本体とは完全に分離してしまうので電池蓋を紛失する恐れがあった。
【０００４】
本考案は、上記問題点を解決し、電池を交換するために電池蓋を外しても、本体から完全に分離することのない走行玩具の電池蓋を提供することを課題とする。
【課題を解決するための手段】
【０００５】
前記課題を解決するために本考案に係る走行玩具の電池蓋は、電池を駆動源として走行する走行玩具の電池蓋であって、以下の要件を備えることを特徴とする走行玩具の電池蓋。
（イ）玩具本体は蒸気機関車を模して形成したこと
（ロ）上記玩具本体には自由輪と駆動輪とが前後に配置され、上記駆動輪と自由輪との間にはコネクティングロッドを模したリンクが配置されていること
（ハ）上記電池蓋は上記走行玩具の底面に着脱可能に配置され、該電池蓋には上記自由輪を支持する車軸が取り付けられ、上記リンクの一端は上記自由輪の外側に突出させた上記車軸に連結され、他端は上記駆動輪の側面に突出した偏心軸に連結されていること
【０００６】
なお、前記走行玩具の電池蓋は、以下の要件を備えていてもよい。
（イ）前記玩具本体には自由輪を少なくとも２つ配置し、一つの自由輪を支持する車軸は前記電池蓋に取り付け、他の自由輪を支持する車軸は前記玩具本体に取り付けたこと
（ロ）前記リンクは一端を上記一つの自由輪の車軸に連結し、他端を前記駆動輪に代えて上記他の自由輪に連結したこと
【考案の効果】
【０００７】
本考案によれば、電池を交換するために電池蓋を本体から外しても、完全に分離しないので電池蓋を紛失する恐れがない走行玩具の電池蓋を提供することができる。しかも、電池蓋を玩具本体から分離しないようにする部材を別途設けることがないため部品の点数を増やすこともなく、工程を追加する必要もない生産段階においても有効な走行玩具の電池蓋を実現することができる。
【考案を実施するための最良の形態】
【０００８】
図１は、本考案に係る走行玩具の電池蓋を適用した走行玩具Ａの一例を示すもので、この走行玩具Ａは蒸気機関車を模して形成されているものである。
【０００９】
上記走行玩具Ａは玩具本体１の後部に配置された駆動輪２と前部に配置された自由輪３とで走行するもので、電池収容部４に収容した電池５を駆動源としてモータ６を回転させ図示しない駆動機構を介して駆動輪２を回転させるようになっているもので、上記駆動輪２と自由輪３との間にはコネクティングロッドを模したリンク７が配設されている。
【００１０】
上記リンク７の一端は駆動輪２の側面に突出して形成した偏心軸８に回転可能に軸支され、他端は長孔９が形成されるとともに、この長孔９が自由輪３の外側に突出させた車軸１３に支持され、駆動輪２が回転すると、リンク７は前後に往復動し、恰も本物の蒸気機関車がコネクティングロッドを動かして車輪を回転させているような視覚効果が得られるようになっている。
【００１１】
図２に示すように、上記駆動輪２の車軸１１は玩具本体１の底面に形成された軸受１２に軸支され、図示しない駆動機構によって回転するようになっており、自由輪３の車軸１３は電池蓋１４に形成された軸受１５に軸支され、フリーに回転するようになっている。
【００１２】
電池蓋１４は、図３に示すように、後端に係合凸部１６が後方に突出して形成され、前部にはネジ１８を差し込む差込孔１９が形成され、玩具本体１に形成された係合孔１７に上記係合凸部１６を係合させ、ネジ１８を差込孔１９に差し込んで玩具本体１に形成されたネジ孔２０に捻じ込むことにより、電池蓋１４を玩具本体１の底面に固定し、電池収容部４を塞ぐことができるようになっている。
【００１３】
なお、電池蓋１４の差込孔１９と対象の位置に形成され下方に突出した嵌合凸部２１は玩具本体１に形成された嵌合凹部２２に嵌るようになっており、電池蓋１４をネジ止めする際に予め電池蓋１４を玩具本体１に仮止めし、ネジ１８の差し込みを容易にするためのものである。
【００１４】
次に、上記構成の走行玩具Ａにおいて、電池５を交換する場合の態様について説明する。先ず、電池蓋１４を固定しているネジ１８を外す。次に、自由輪３の車軸１３を両側から摘み、上に引き上げて嵌合凸部２１と嵌合凹部２２との嵌め合わせを外し、若干前方に引いて係合凸部１６と係合孔１７との係合を外し、図３に示すように、上方に自由輪３を引き上げると一体で電池蓋１４も引き上げられ、電池収容部４が開放される。電池収容部４が開放されたらば、古い電池５を取り出した後、新しい電池５をセットすればよい。
【００１５】
この時、自由輪３と駆動輪２とはリンク７で連結されているので、自由輪３と一体の電池蓋１４は玩具本体１から完全に分離することはない。
【００１６】
電池５の交換が終わったら、電池蓋１４の係合凸部１６を電池収容部４に形成された係合孔１７に係合させた後、嵌合凸部２１を嵌合凹部２２に嵌め合わせながら電池収容部４を塞ぐように閉じればよい。閉じたならば、ネジ１８を差込孔１９に差し込み、ネジ１８の締め込みを行なえば電池蓋１４を玩具本体１に固定することができる。
【００１７】
上述したように、電池５を交換する際に電池蓋１４を外しても、電池蓋１４に形成された軸受１５に車軸１３が取り付けられている自由輪３と、玩具本体１に形成された軸受１２に車軸１１が取り付けられている駆動輪２とがリンク７で連結されているので、電池蓋１４が玩具本体１から分離してしまうことがないため、電池蓋１４を紛失するようなトラブルを回避することができるし、紛失しないようにするための部材を別途設ける必要がなく、部品の点数を増やすことも、製造する工程の追加も必要としない走行玩具の電池蓋を実現することができる。
【００１８】
なお、上述の走行玩具では玩具本体に自由輪と駆動輪とを１つずつ配置し、この自由輪と駆動輪とをリンクで連結したが、図４（ａ）に示すように、自由輪３を２つ配置し、前自由輪３ａと後自由輪３ｂとをリンク７で連結するとともに、前自由輪３ａを電池蓋１４に取り付け、後自由輪３ｂを玩具本体１に取り付けてもよい。このことにより、図４（ｂ）に示すように、走行玩具Ａを裏返しにし、ネジを外して前自由輪３ａを持ち上げて電池蓋１４を玩具本体１から外せば、電池５を交換することができる。この場合も、前自由輪３ａと後自由輪３ｂとはリンク７で連結されているので、玩具本体１から電池蓋１４が分離することはないので電池蓋１４を紛失するようなトラブルを回避することができる。
【図面の簡単な説明】
【００１９】
【図１】本考案に係る電池蓋を適用した走行玩具の斜視図
【図２】上記走行玩具の底面側斜視図
【図３】電池蓋を外した状態の走行玩具の底面側斜視図
【図４】（ａ）（ｂ）は上記走行玩具の他の例を説明する側面図
【符号の説明】
【００２０】
１    玩具本体
２    駆動輪
３    自由輪
４    電池収容部
５    電池
７    リンク
１４    電池蓋
Ａ    走行玩具
【図１】
0003144297.tif 000003
【図２】
0003144297.tif 000004
【図３】
0003144297.tif 000005
【図４】
0003144297.tif 000006